(57)【特許請求の範囲】
【請求項１】
再生位置に対応するアドレス情報を有し、該アドレス情報に基づいて再生位置をアクセスし得る再生システムにおいて、
再生中にその再生位置と異なる位置の再生が要求されて、再生位置を移動する時に、移動前の再生位置の最終アドレスを記憶する最終アドレス記憶手段と、
ユーザの操作に基づく再生位置の要求に応じたアドレスから再生させるとともに、前記最終アドレス記憶手段に前記最終アドレスが記憶されているときは、所定の操作に応じて前記最終アドレスから再生させるためのアクセス制御手段と、
を具備することを特徴とする再生システム。
【請求項２】
前記アクセス制御手段は、
スキップ操作によりトラック単位の頭出し再生動作をさせる頭出し処理手段と、
前記頭出し処理時に、前記最終アドレス記憶手段に前記最終アドレスが記憶されており、現在再生位置と目標となる頭出し位置との間に前記最終アドレスが存在するときは、前記頭出し位置にかかわらず前記最終アドレスから再生させる目標制御手段と、
を含むことを特徴とする請求項１に記載の再生システム。
【請求項３】
前記最終アドレス記憶手段は、前記アクセス制御手段により、前記最終アドレスからアクセス再生されたときに、記憶内容をクリアする手段
を含むことを特徴とする請求項１または２に記載の再生システム。
【請求項４】
前記最終アドレス記憶手段は、最終アドレスを記憶していないときにのみ、前記最終アドレスを記憶する手段を含むことを特徴とする請求項１乃至３のうちのいずれか１項に記載の再生システム。
【請求項５】
再生位置に対応するアドレス情報を有し、該アドレス情報に基づいて再生位置をアクセスし得る再生システムにおける再生動作を制御する再生制御方法において、
再生中にその再生位置と異なる位置の再生が要求された場合、その再生位置の最終アドレスを最終アドレス記憶手段に格納する最終アドレス格納ステップと、
前記最終アドレス格納ステップにより、最終アドレスが格納されてから要求された位置をサーチして再生位置を移動する再生アドレスサーチステップと、
所定の操作に応動し、前記最終アドレス格納ステップにより格納された最終アドレスをサーチして再生する最終アドレスアクセスステップと、
を有することを特徴とする再生制御方法。
【請求項６】
前記最終アドレスアクセスステップは、
スキップ操作によりトラック単位の頭出し再生動作をさせる頭出し処理ステップと、
前記頭出し処理時に、前記最終アドレス記憶手段に前記最終アドレスが記憶されているか否かを判別する記憶確認ステップと、
前記記憶確認ステップにより前記最終アドレスが記憶されていると判別された場合には、所定の最終アドレスアクセス条件に該当するか否かを判別する条件判別ステップと、
前記条件判別ステップにより所定の最終アドレスアクセス条件に該当すると判別された場合には前記最終アドレスをサーチして再生する最終アドレス再生ステップと、
を含むことを特徴とする請求項５に記載の再生制御方法。
【請求項７】
前記条件判別ステップは、現在再生位置と目標となる頭出し位置との間に前記最終アドレスが存在することを前記最終アドレスアクセス条件として判別するステップを含むことを特徴とする請求項６に記載の再生制御方法。
【請求項８】
前記最終アドレスアクセスステップは、前記最終アドレスをサーチして再生したときに、前記最終アドレス記憶手段の記憶内容をクリアするステップを含むことを特徴とする請求項５乃至７のうちのいずれか１項に記載の再生制御方法。
【請求項９】
前記最終アドレス格納ステップは、前記最終アドレス記憶手段に最終アドレスを記憶していないときにのみ、前記最終アドレスを格納するステップを含むことを特徴とする請求項５乃至８のうちのいずれか１項に記載の再生制御方法。
【請求項１０】
コンピュータに、
再生位置に対応するアドレス情報に基づいて再生位置をアクセスし得る再生システムにおける再生中にその再生位置と異なる位置の再生が要求された場合、その再生位置の最終アドレスを最終アドレス記憶手段に格納する最終アドレス格納手順、
前記最終アドレス格納手順により、最終アドレスが格納されてから要求された位置をサーチして再生位置を移動する再生アドレスサーチ手順、および
所定の操作に応動し、前記最終アドレス格納手順により格納された最終アドレスをサーチして再生する最終アドレスアクセス手順、
を実行させるためのプログラムを記録したコンピュータ読み取り可能な記録媒体。
【発明の詳細な説明】
【０００１】
【発明の属する技術分野】
この発明は、オーディオおよびビデオ情報等の再生を行う再生システムに係り、特に、アドレス情報を有し、そのアドレス情報を用いてランダムにアクセスすることが可能な再生装置に好適な再生システム、再生制御方法および記録媒体に関する。
【０００２】
【従来の技術】
オーディオおよびビデオ情報等の再生または記録／再生に用いられる再生システムには、アドレス情報を有し、そのアドレス情報を用いてランダムにアクセスすることが可能な再生システムがある。このようにランダムアクセスが可能な再生装置には、ＣＤ（コンパクトディスク）、ＭＤ（ミニディスク）およびＤＶＤ（ディジタルバーサタイルディスク）等の光ディスク媒体を用いるもの、磁気ディスク等の磁気記録媒体を用いるもの、並びに半導体メモリ等の固体記憶媒体を用いるもの等が広く知られている。
【０００３】
従来、このように再生位置がアドレスで管理されランダムアクセス可能な記録媒体の再生システムには、予め記録媒体上に記録されているトラック毎のアドレス情報を用いて各トラックの頭出しをすることを可能としたものがあった。また、ユーザの操作により、任意に頭出し用のインデックスポイントを設定することができる再生システムも存在していた。このようにインデックスポイントを設定すると、そのインデックスポイントの位置をサーチして再生させることができる。したがって、インデックスポイントを任意に設定することにより、所望の位置から再生することが可能となる。
【０００４】
前者、つまりトラック毎の頭出しを行うことができる再生システムは、例えば特開平８−７７７５８号公報等に示されている。特開平８−７７７５８号公報に示された再生システムは、効率良くトラックの頭出しを実行させるため、ディスク上に記録されているトラックナンバとトラックネームとの対応表を、トラックネームによりソートして作成し、検索時の便宜を図っている。
【０００５】
また、後者、つまり所望に応じて頭出しポイントを設定し得る再生システムは、例えば、特開平６−２７５０５６号公報および特開平８−８３４８０号公報等に示されている。特開平６−２７５０５６号公報に示された再生システムは、再生信号中の所望の位置に対応するインデックス情報を不揮発性のインデックスメモリに格納して、インデックスによる頭出しを可能としている。
【０００６】
【発明が解決しようとする課題】
上述した従来の再生システムでは、トラック毎の頭出し、および所望に応じて頭出しポイントを設定することはできるが、次のような場合には、問題を生じていた。
【０００７】
例えば、ユーザが再生システムで、ＣＤを再生し、楽曲を鑑賞しているときに、トラックの頭出しに用いられる操作ボタンを誤って押してしまうことがある。トラックの頭出しには、アップ／ダウン等のスキップボタンが用いられる。トラックは、一般に楽曲に個々に対応しているから、このように、楽曲の鑑賞中に誤操作等によりトラックの頭出しをしてしまった場合には、例えば次の曲等が先頭から再生されてしまうことになる。このような場合、鑑賞していた楽曲の続きを鑑賞するには、もとの位置に戻って再生することになる。もとの再生位置に戻るには、音声を聞きながら、早送りまたは巻き戻し機能等による操作を行うことになる。もしも、誤操作時における再生時間または残り時間等の時間表示を記録していれば、時間表示を見ながら、早送りまたは巻き戻し機能等の操作を実行して、比較的速やかにもとの位置に戻ることができる。しかしながら、どのようなユーザも、ほとんどの場合、時間表示を記録しておくことはない。したがって、音声を聞きながら、早送りまたは巻き戻し操作を少しずつ繰り返すという煩雑な操作に頼ることになる。
【０００８】
また、楽曲の途中を、後に頭出しをしたい位置として設定する場合には、所定の煩雑な操作を行って、頭出しポイントを記憶させなければならなかった。また、この所望に応じて記憶させた頭出しポイントを解除するにも所定の操作を行わなければならなかった。
【０００９】
この発明は、上述した事情に鑑みてなされたもので、誤操作等により不用意に頭出し操作を行った場合にも、簡単な操作で容易に且つ速やかにもとの位置から再生することができ、操作性を向上し得る再生システム、再生制御方法および記録媒体を提供することを目的とする。
【００１０】
【課題を解決するための手段】
上記目的を達成するため、この発明の第１の観点による再生システムは、
再生位置に対応するアドレス情報を有し、該アドレス情報に基づいて再生位置をアクセスし得る再生システムにおいて、
再生中にその再生位置と異なる位置の再生が要求されて、再生位置を移動する時に、移動前の再生位置の最終アドレスを記憶する最終アドレス記憶手段と、
ユーザの操作に基づく再生位置の要求に応じたアドレスから再生させるとともに、前記最終アドレス記憶手段に前記最終アドレスが記憶されているときは、所定の操作に応じて前記最終アドレスから再生させるためのアクセス制御手段と、を具備する。
【００１１】
前記アクセス制御手段は、
スキップ操作によりトラック単位の頭出し再生動作をさせる頭出し処理手段と、
前記頭出し処理時に、前記最終アドレス記憶手段に前記最終アドレスが記憶されており、現在再生位置と目標となる頭出し位置との間に前記最終アドレスが存在するときは、前記頭出し位置にかかわらず前記最終アドレスから再生させる目標制御手段と、
を含んでいてもよい。
【００１２】
前記最終アドレス記憶手段は、前記アクセス制御手段により、前記最終アドレスからアクセス再生されたときに、記憶内容をクリアする手段
を含んでいてもよい。
前記最終アドレス記憶手段は、最終アドレスを記憶していないときにのみ、前記最終アドレスを記憶する手段を含んでいてもよい。
【００１３】
この発明に係る再生システムは、再生中にその再生位置と異なる位置の再生が要求されて、再生位置を移動する時に、移動前の再生位置の最終アドレスを最終アドレス記憶手段に記憶させ、最終アドレス記憶手段に最終アドレスが記憶されているときは、所定の操作に応じて最終アドレスから再生させる。したがって、再生状態から頭出し操作を行った時のもとのアドレスが自動的に記憶され、その記憶された最終アドレスからの再生を簡単な操作で実行することができるので、再生時の誤操作等により不用意に頭出し操作を行った場合にも、簡単な操作で容易に且つ速やかにもとの位置から再生することができ、操作性を向上することができる。
【００１４】
この発明の第２の観点による再生制御方法は、
再生位置に対応するアドレス情報を有し、該アドレス情報に基づいて再生位置をアクセスし得る再生システムにおける再生動作を制御する再生制御方法において、
再生中にその再生位置と異なる位置の再生が要求された場合、その再生位置の最終アドレスを最終アドレス記憶手段に格納する最終アドレス格納ステップと、
前記最終アドレス格納ステップにより、最終アドレスが格納されてから要求された位置をサーチして再生位置を移動する再生アドレスサーチステップと、
所定の操作に応動し、前記最終アドレス格納ステップにより格納された最終アドレスをサーチして再生する最終アドレスアクセスステップと、
を有する。
【００１５】
前記最終アドレスアクセスステップは、
スキップ操作によりトラック単位の頭出し再生動作をさせる頭出し処理ステップと、
前記頭出し処理時に、前記最終アドレス記憶手段に前記最終アドレスが記憶されているか否かを判別する記憶確認ステップと、
前記記憶確認ステップにより前記最終アドレスが記憶されていると判別された場合には、所定の最終アドレスアクセス条件に該当するか否かを判別する条件判別ステップと、
前記条件判別ステップにより所定の最終アドレスアクセス条件に該当すると判別された場合には前記最終アドレスをサーチして再生する最終アドレス再生ステップと、
を含んでいてもよい。
【００１６】
前記条件判別ステップは、現在再生位置と目標となる頭出し位置との間に前記最終アドレスが存在することを前記最終アドレスアクセス条件として判別するステップを含んでいてもよい。
【００１７】
前記最終アドレスアクセスステップは、前記最終アドレスをサーチして再生したときに、前記最終アドレス記憶手段の記憶内容をクリアするステップを含んでいてもよい。
【００１８】
前記最終アドレス格納ステップは、前記最終アドレス記憶手段に最終アドレスを記憶していないときにのみ、前記最終アドレスを格納するステップを含んでいてもよい。
【００１９】
この発明に係る再生制御方法は、再生中にその再生位置と異なる位置の再生が要求されて、再生位置を移動する時に、移動前の再生位置の最終アドレスを記憶させ、最終アドレスが記憶されているときは、所定の操作に応じて最終アドレスから再生させる。したがって、再生状態から頭出し操作を行った時のもとのアドレスが自動的に記憶され、その記憶された最終アドレスからの再生を簡単な操作で実行することができるので、再生時の誤操作等により不用意に頭出し操作を行った場合にも、簡単な操作で容易に且つ速やかにもとの位置から再生することができ、操作性を向上することができる。
【００２０】
この発明の第３の観点によるコンピュータ読み取り可能な記録媒体は、
コンピュータに、
再生位置に対応するアドレス情報に基づいて再生位置をアクセスし得る再生システムにおける再生中にその再生位置と異なる位置の再生が要求された場合、その再生位置の最終アドレスを最終アドレス記憶手段に格納する最終アドレス格納手順、
前記最終アドレス格納手順により、最終アドレスが格納されてから要求された位置をサーチして再生位置を移動する再生アドレスサーチ手順、および
所定の操作に応動し、前記最終アドレス格納手順により格納された最終アドレスをサーチして再生する最終アドレスアクセス手順、
を実行させるためのプログラムを記録している。
【００２１】
この発明に係るコンピュータ読み取り可能な記録媒体は、記録されたプログラムを実行することにより、再生中にその再生位置と異なる位置の再生が要求されて、再生位置を移動する時に、移動前の再生位置の最終アドレスを最終アドレス記憶手段に記憶させ、最終アドレス記憶手段に最終アドレスが記憶されているときは、所定の操作に応じて最終アドレスから再生させることができる。したがって、再生状態から頭出し操作を行った時のもとのアドレスが自動的に記憶され、その記憶された最終アドレスからの再生を簡単な操作で実行することができるので、再生時の誤操作等により不用意に頭出し操作を行った場合にも、簡単な操作で容易に且つ速やかにもとの位置から再生することができ、操作性を向上することができる。
【００２２】
【発明の実施の形態】
以下、この発明の実施の形態を図面を参照して説明する。
図１および図２を参照して、この発明の実施の形態に係る再生システムである光ディスク再生システムを説明する。
図１は、光ディスク再生システムの構成を模式的に示しており、図２は図１の光ディスク再生システムにおける最終アドレス記憶／頭出し処理に係る制御の流れを示している。
【００２３】
図１に示す光ディスク再生システムは、光ディスク再生部１、システムコントローラ２、操作部３、表示部４、Ｄ／Ａ（ディジタル−アナログ）コンバータ５およびオーディオ出力端子６を備えている。システムコントローラ２は、ＲＡＭ（ランダムアクセスメモリ）７を有し、ＲＡＭ７内に最終アドレス記憶部８がある。
【００２４】
光ディスク再生部１は、ＣＤ（コンパクトディスク）等の光ディスクを再生する。この光ディスク再生部１は、システムコントローラ２からの指示に基づいて、光ディスクに対する目標アドレスのサーチおよび光ディスクの再生等の光ディスクの再生操作を行う。システムコントローラ２は、マイクロコンピュータ等により構成され、記憶部としてのＲＡＭ７を有する。ＲＡＭ７は、内部に最終アドレス記憶部８を有している。最終アドレス記憶部８は、後に詳細に説明する最終アドレスを記憶するために用いられる。
【００２５】
また、システムコントローラ２は、ユーザが操作部３を操作することにより、操作部３を介してユーザからの指示を受ける。システムコントローラ２は、操作部３のユーザ操作に基づいて、目標とするアドレスのサーチおよび再生等の光ディスク再生動作を光ディスク再生部１に指示するとともに、その操作部３の操作内容および光ディスク再生部１における動作状態等を、表示部４に表示させる。Ｄ／Ａコンバータ５は、光ディスクの再生により光ディスク再生部１から出力されるディジタルデータを、アナログデータに変換して、オーディオ出力端子６から出力する。
【００２６】
次に、図１のように構成されたこの発明の実施の形態に係る光ディスク再生システムにおける制御動作を、図２に示す制御のフローチャートを参照して説明する。
【００２７】
図１は、光ディスク再生システムにおける最終アドレス記憶および楽曲の頭出し処理の流れを示している。ここで、各楽曲は、それぞれ一つのトラックを構成しており、各トラックは、個々の楽曲が記録されている物理的な記録領域を意味している。
【００２８】
図２に示すフローチャートは、図示していないメインルーチンから、最終アドレス記憶および楽曲の頭出し処理時に呼び出されるサブルーチンの形で示しているが、この内容をメインプログラムの中にそのまま組み込むようにしてもよい。この図２のルーチンは、例えば、待機状態において、所定時間毎に繰り返し起動される。
【００２９】
ここで説明する頭出し処理とは、操作部３のスキップアップ（ＳＫＩＰ  ＵＰ）／スキップダウン（ＳＫＩＰ  ＤＯＷＮ）キー等の操作に応答する処理である。この頭出し処理には、次のようなものがある。（ａ）現在再生中の楽曲のトラックナンバ（ＴＮＯ）の先頭をサーチして、再生中の楽曲の曲頭に戻って再生する。（ｂ）現在再生中の楽曲のトラックナンバ＋１をサーチして、再生中の楽曲の次の楽曲の曲頭から再生する。（ｃ）現在再生中の楽曲のトラックナンバ−１をサーチして、再生中の楽曲の前の楽曲の曲頭から再生する。
【００３０】
〈最終アドレス記憶処理〉
今、ユーザが操作部３のスキップアップキーまたはスキップダウンキー等を操作して楽曲の頭出し要求操作を行ったとする（ステップＳ１１）。なお、頭出し要求操作を行っていない場合には、直ちに処理を終了して待機状態に戻る。このようにして、所定時間毎に、ステップＳ１１により、頭出し要求操作を行ったか否かを調べることにより、頭出し要求操作の有無を監視する。
【００３１】
頭出し要求操作が行われた場合、ステップＳ１１でそれが検出され、この時、システムコントローラ２のＲＡＭ７内の最終アドレス記憶部８に最終アドレスが設定されているか否かを判定する（ステップＳ１２）。最終アドレス記憶部８に最終アドレスが設定されていない場合には、その時点の再生アドレスを最終アドレスとして最終アドレス記憶部８に記憶してから（ステップＳ１３）、ユーザによる要求操作に対応する楽曲の頭出し再生動作を行う（ステップＳ１４）。ステップＳ１３により、最終アドレス記憶部８に記憶された最終アドレスは、次回以降の頭出し処理によるサーチ起動時に使用されることになる。また、ステップＳ１４における頭出しによる目標アドレスのサーチを終了し、再生を開始した後は、処理を終了し待機状態に戻る。
【００３２】
〈最終アドレスサーチ処理〉
今、ユーザが操作部３のスキップアップキーまたはスキップダウンキー等を操作して楽曲の頭出し要求操作を行ったとする。上述のようにして、ステップＳ１１によって、これを検知し、ステップＳ１２において、最終アドレス記憶部８に最終アドレスが設定されているか否かを調べる。
【００３３】
ステップＳ１２において、最終アドレス記憶部８に最終アドレスが設定されていると判定された場合には、次の条件によって要求操作に基づくサーチ実行の形態を判断する（ステップＳ１５）。
【００３４】
（１）サーチ目標が、現在のトラックナンバ＋１（ＴＮＯ＋１）の場合には、現在の再生位置から現在のトラックナンバのトラックの終了位置までの間に、最終アドレスが存在するか否かを調べる。
（２）サーチ目標が、現在のトラックナンバ−１（ＴＮＯ−１）の場合には、現在再生中の楽曲の１つ前の楽曲（ＴＮＯ−１）のトラック内に、最終アドレスが存在するか否かを調べる。
（３）サーチ目標が、現在のトラックナンバ（ＴＮＯ）、つまり現在再生中の楽曲の曲頭のサーチの場合には、現在の再生位置からその楽曲の曲頭までの間に、最終アドレスが存在するか否かを調べる。
【００３５】
上述した条件（１）〜（３）のうちのいずれかにおいて、該当する個所に最終アドレスを含有することが検知された場合には、要求に従ったサーチ目標による頭出しではなく、最終アドレス記憶部８に設定された最終アドレスを目標アドレスとしてサーチを行って、目標アドレスから再生するとともに（ステップＳ１６）、最終アドレス記憶部８の最終アドレスデータをクリアする（ステップＳ１７）。
【００３６】
なお、上述した条件（１）〜（３）のいずれでについても、最終アドレスが検知されなかった場合には、ステップＳ１４に移行して、要求されたサーチ目標に従った通常の頭出し処理を行う。
また、最終アドレス記憶部８に設定された最終アドレスデータをクリアする条件については、図２のフローチャートに示された条件に代えて、ユーザの使い勝手を考慮した条件を適宜設定するようにしてもよい。例えば、再生の停止時、現在の再生位置を中心としてユーザが指示した頭出しの目標のアドレスと設定されている最終アドレスが相反する位置にある時、または再生中に設定されている最終アドレスに対応する位置を通過した時などのいずれか、あるいはそれらの組合せに該当する場合に、最終アドレス記憶部８に設定されている最終アドレスデータをクリアするようにしてもよい。
【００３７】
上述したような再生システムとすれば、次のような利点がある。
ユーザが、楽曲の鑑賞途中で誤って頭出し操作をしてしまった場合、その操作時における再生アドレスをサーチ目標に利用し得る最終アドレスとして記憶する。このため、誤操作の直前の鑑賞位置に戻るために、早送りおよび巻き戻し機能等を用いて音声を聞きながらもとの位置を探したり、あるいは時間表示を見ながらもとの位置を探したりする操作が不要となる。誤操作の直前の鑑賞位置に戻るためには、通常の頭出し操作のような操作をすればよいことになる。
【００３８】
また、上述した機能を、後に頭出しをしたい位置、すなわちインデックスポイント、として楽曲の途中の任意の位置を選定するために利用することもできる。この場合には、曲の鑑賞途中で曲の頭出し操作をした位置を示すアドレスが自動的に記憶されるため、頭出し位置を記憶させるための特殊な操作を必要としない。
【００３９】
さらに、記憶した頭出しポイントとしての最終アドレスをサーチした時点で、記憶された最終アドレスをクリアするので、記憶した頭出しポイントを解除するために特殊な操作を必要としない。
【００４０】
上述した実施の形態においては、ＣＤを再生する場合を例にとって説明したが、ＭＤおよびＤＶＤ等についても上述と同様にして実施することができる。また、光ディスクに限らず、コンパクトカセット等のカセットテープの類を再生する再生システムについても、カウンタ等によるカウント値等のアドレス情報をシステムコントローラ２等において生成するようにすれば、上述とほぼ同様にして実施することができる。
【００４１】
なお、この発明の再生システムは、専用のシステムとして構成することなく、通常のコンピュータシステムを用いて実現することができる。例えば、コンピュータシステムに上述の動作を実行するためのプログラムを格納した媒体（フロッピーディスク、ＣＤ−ＲＯＭ等）から該プログラムをインストールすることにより、上述の処理を実行する再生システムを構築することができる。インストールによって、当該プログラムは、コンピュータシステム内のハードディスク等の媒体に格納されて、再生システムを構成し、実行に供される。
【００４２】
また、インターネット等の通信ネットワーク上に設けたＦＴＰ（Ｆｉｌｅ  Ｔｒａｎｓｆｅｒ  Ｐｒｏｔｏｃｏｌ）サーバに当該プログラムを登録し、ＦＴＰクライアントにネットワークを介して配信してもよく、通信ネットワークの電子掲示板（ＢＢＳ：Ｂｕｌｌｅｔｉｎ  Ｂｏａｒｄ  Ｓｙｓｔｅｍ）等に該プログラムを登録し、これをネットワークを介して配信してもよい。そして、このプログラムを起動し、ＯＳ（Ｏｐｅｒａｔｉｎｇ  Ｓｙｓｔｅｍ）の制御下において実行することにより、上述の処理を達成することができる。さらに、通信ネットワークを介してプログラムを転送しながら起動実行することによっても、上述の処理を達成することができる。
【００４３】
【発明の効果】
以上説明したように、この発明によれば、誤操作等により不用意に頭出し操作を行った場合にも、簡単な操作で容易に且つ速やかにもとの位置から再生することができ、操作性を向上し得る再生システム、再生制御方法および記録媒体を提供することができる。
【図面の簡単な説明】
【図１】この発明の実施の形態に係る光ディスク再生システムの構成を模式的に示すブロック図である。
【図２】図１の光ディスク再生システムにおける最終アドレス記憶および頭出し処の理動作を説明するためのフローチャートである。
【符号の説明】
１    光ディスク再生部
２    システムコントローラ
３    操作部
４    表示部
５    Ｄ／Ａ（ディジタル−アナログ）コンバータ
６    オーディオ出力端子
７    ＲＡＭ（ランダムアクセスメモリ）
８    最終アドレス記憶部
【図１】
0003593297.tif 000002
【図２】
0003593297.tif 000003